【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
入力された画像全体から予め指定されたオブジェクトに対応する部分画像を抽出する抽出手段と、
前記部分画像の画質を補正するための複数種の補正処理について補正パラメータをそれぞれ算出する第１算出手段と、
前記第１算出手段により算出された前記補正パラメータをそれぞれを反映した、前記部分画像を補正するための第１変換パラメータを生成する第１生成手段と、
入力された前記画像全体の画質を補正するための複数種の補正処理について補正パラメータをそれぞれ算出する第２算出手段と、
前記第２算出手段により算出された前記補正パラメータをそれぞれ反映した、前記画像全体を補正するための、前記第１変換パラメータと共通の形式の第２変換パラメータを生成する第２生成手段と、
前記第１変換パラメータと、前記第２変換パラメータと、を予め定めた比率に従い加算して、前記入力された画像を補正するための画像補正パラメータを生成する融合手段と、
を備えることを特徴とする画像処理装置。
【請求項２】
入力された前記画像全体の画質を補正するための複数種の補正処理及び前記部分画像の画質を補正するための複数種の補正処理には、色かぶりの補正、輝度の補正、彩度の補正が含まれることを特徴とする請求項１に記載の画像処理装置。
【請求項３】
前記第１算出手段は、
前記輝度の補正のための補正パラメータを、前記色かぶりの補正のための補正パラメータの算出結果と、前記部分画像について予め定められた輝度目標値と、を用いて算出し、
前記彩度の補正のための補正パラメータを、前記色かぶりの補正のための補正パラメータの算出結果と、前記輝度の補正のための補正パラメータの算出結果と、前記部分画像について予め定められた色差成分の目標値と、を用いて算出することを特徴とする請求項２に記載の画像処理装置。
【請求項４】
前記色かぶりの補正のための補正パラメータ、前記輝度の補正のための補正パラメータ、および前記彩度の補正の補正パラメータは、３ｘ３の行列形式のデータ、１次元ルックアップテーブルの形式のデータ、係数の形式のデータのいずれか１つであることを特徴とする請求項３に記載の画像処理装置。
【請求項５】
前記第１生成手段は、前記色かぶりの補正のための補正パラメータと、前記輝度の補正のための補正パラメータと、前記彩度の補正の補正パラメータと、のうち少なくともいずれか１つのパラメータを反映した３次元ルックアップテーブルの形式の前記第１変換パラメータを生成することを特徴とする請求項４に記載の画像処理装置。
【請求項６】
前記第２生成手段は、前記色かぶりの補正のための補正パラメータと、前記輝度の補正のための補正パラメータと、前記彩度の補正の補正パラメータと、のうち少なくともいずれか１つのパラメータを反映した３次元ルックアップテーブルの形式の前記第２変換パラメータを生成することを特徴とする請求項４に記載の画像処理装置。
【請求項７】
前記第２算出手段は、入力された前記画像全体の画質を補正するために、色かぶりの補正のための補正パラメータ、輝度の補正のための補正パラメータ、彩度の補正のための補正パラメータをそれぞれ独立に算出することを特徴とする請求項１に記載の画像処理装置。
【請求項８】
抽出手段が、入力された画像全体から予め指定されたオブジェクトに対応する部分画像を抽出する抽出工程と、
第１算出手段が、前記部分画像の画質を補正するための複数種の補正処理について補正パラメータをそれぞれ算出する第１算出工程と、
第１生成手段が、前記第１算出工程により算出された前記補正パラメータをそれぞれを反映した、前記部分画像を補正するための第１変換パラメータを生成する第１生成工程と、
第２算出手段が、入力された前記画像全体の画質を補正するための複数種の補正処理について補正パラメータをそれぞれ算出する第２算出工程と、
第２生成手段が、前記第２算出工程により算出された前記補正パラメータをそれぞれ反映した、前記画像全体を補正するための、前記第１変換パラメータと共通の形式の第２変換パラメータを生成する第２生成工程と、
融合手段が、前記第１変換パラメータと、前記第２変換パラメータと、を予め定めた比率に従い加算して、前記入力された画像を補正するための画像補正パラメータを生成する融合工程と、
を有することを特徴とする画像処理方法。
【請求項９】
入力された前記画像全体の画質を補正するための複数種の補正処理及び前記部分画像の画質を補正するための複数種の補正処理には、色かぶりの補正、輝度の補正、彩度の補正が含まれることを特徴とする請求項８に記載の画像処理方法。
【請求項１０】
前記第１算出工程では、
前記輝度の補正のための補正パラメータを、前記色かぶりの補正のための補正パラメータの算出結果と、前記部分画像について予め定められた輝度目標値と、を用いて算出し、
前記彩度の補正のための補正パラメータを、前記色かぶりの補正のための補正パラメータの算出結果と、前記輝度の補正のための補正パラメータの算出結果と、前記部分画像について予め定められた色差成分の目標値と、を用いて算出することを特徴とする請求項９に記載の画像処理方法。
【請求項１１】
前記色かぶりの補正のための補正パラメータ、前記輝度の補正のための補正パラメータ、および前記彩度の補正の補正パラメータは、３ｘ３の行列形式のデータ、１次元ルックアップテーブルの形式のデータ、係数の形式のデータのいずれか１つであることを特徴とする請求項１０に記載の画像処理方法。
【請求項１２】
前記第１生成工程では、前記色かぶりの補正のための補正パラメータと、前記輝度の補正のための補正パラメータと、前記彩度の補正の補正パラメータと、のうち少なくともいずれか１つのパラメータを反映した３次元ルックアップテーブルの形式の前記第１変換パラメータを生成することを特徴とする請求項１１に記載の画像処理方法。
【請求項１３】
前記第２生成工程では、前記色かぶりの補正のための補正パラメータと、前記輝度の補正のための補正パラメータと、前記彩度の補正の補正パラメータと、のうち少なくともいずれか１つのパラメータを反映した３次元ルックアップテーブルの形式の前記第２変換パラメータを生成することを特徴とする請求項１１に記載の画像処理方法。
【請求項１４】
前記第２算出工程では、入力された前記画像全体の画質を補正するために、色かぶりの補正のための補正パラメータ、輝度の補正のための補正パラメータ、彩度の補正のための補正パラメータをそれぞれ独立に算出することを特徴とする請求項８に記載の画像処理方法。
【請求項１５】
請求項８乃至１４のいずれか１項に記載の画像処理方法をコンピュータに実行させるためのコンピュータプログラム。
【請求項１６】
請求項１５に記載のコンピュータプログラムを格納したコンピュータ可読の記憶媒体。
【手続補正２】
【補正対象書類名】明細書
【補正対象項目名】００１２
【補正方法】変更
【補正の内容】
【００１２】
上記の目的を達成する本発明にかかる画像処理装置は、
入力された画像全体から予め指定されたオブジェクトに対応する部分画像を抽出する抽出手段と、
前記部分画像の画質を補正するための複数種の補正処理について補正パラメータをそれぞれ算出する第１算出手段と、
前記第１算出手段により算出された前記補正パラメータをそれぞれを反映した、前記部分画像を補正するための第１変換パラメータを生成する第１生成手段と、
入力された前記画像全体の画質を補正するための複数種の補正処理について補正パラメータをそれぞれ算出する第２算出手段と、
前記第２算出手段により算出された前記補正パラメータをそれぞれ反映した、前記画像全体を補正するための、前記第１変換パラメータと共通の形式の第２変換パラメータを生成する第２生成手段と、
前記第１変換パラメータと、前記第２変換パラメータと、を予め定めた比率に従い加算して、前記入力された画像を補正するための画像補正パラメータを生成する融合手段と、
を備えることを特徴とする。